(57)【要約】【解決手段】  シェーバー（１）向けの柄（２）であって、柄（２）の長手方向の軸（Ｌ）に沿って延びる柄本体（２Ａ）と；長手方向の軸（Ｌ）に対して垂直な回転軸（Ｚ）の周りに柄本体（２Ａ）に対して回転可能な柄（２）にカートリッジ（３）を取り付けるコネクタ（６００）と；中立位置にある場合には、柄の長手方向の軸（Ｌ）と平行に延びる弾性舌部（７）とを備える柄を開発した。弾性舌部（７）は、第１の端部（７Ａ）および第２の端部（７Ｂ）を含む。弾性舌部（７）の第１の端部（７Ａ）は、柄本体（２Ａ）に固く取り付けられている、またはこれと一体化されている。コネクタ（６００）が回転すると、第２の端部（７Ｂ）は、第１のいちばん端の屈曲位置または第２のいちばん端の屈曲位置に向かって屈曲して、屈曲した弾性舌部がコネクタ（６００）を静止位置に向かって付勢するようになっている。コネクタ（６００）は、カートリッジ側端部と、カートリッジ側端部と反対の舌部側端部とを含み、コネクタのカートリッジ側端部は、カートリッジ（３）と係合するように構成されている。弾性舌部（７）は、コネクタ面（ＸＹ）に垂直な面内に延びる弾性シートの形態を有する。【選択図】  図６
2020505096.tif 000002
【特許請求の範囲】
【請求項１】
シェーバー（１）向けの柄（２）であって、
把持部分を含み前記柄（２）の長手方向の軸（Ｌ）に沿って延びる柄本体（２Ａ）と；
静止位置から、そして第１のいちばん端の回転位置と第２のいちばん端の回転位置との間で、前記柄の長手方向の軸（Ｌ）に対して垂直な回転軸（Ｚ）の周りに前記柄本体（２Ａ）に対して回転可能であって、カートリッジ（３）を前記柄（２）に取り付けるコネクタ（６００）と；
中立位置にある場合に、前記柄の長手方向の軸（Ｌ）に平行に延びる弾性舌部（７）と；
を備え、
前記弾性舌部（７）が、第１の端部（７Ａ）と第２の端部（７Ｂ）とを含み、
前記弾性舌部（７）の第１の端部（７Ａ）が、前記柄本体（２Ａ）に固く取り付けられており、またはそれと一体化されており、
前記コネクタ（６００）が、第１のいちばん端の回転位置に向かって回転すると、前記弾性舌部（７）の第２の端部（７Ｂ）が、第１のいちばん端の屈曲位置に向かって屈曲し、前記コネクタが、第２のいちばん端の回転位置に向かって回転すると、前記弾性舌部（７）の第２の端部（７Ｂ）が、第２のいちばん端の屈曲位置に向かって屈曲して、前記屈曲した弾性舌部が前記コネクタ（６００）を静止位置に向かって付勢させ、
前記コネクタ（６００）が、カートリッジ側端部と、前記カートリッジ端部の反対側の舌部側端部とを含み、前記コネクタのカートリッジ側端部が前記カートリッジ（３）と係合するように構成されており、
前記弾性舌部（７）が弾性シートの形態を有し、前記シートがコネクタ面（ＸＹ）に対して垂直な面内に延びていることを特徴とする、シェーバー向けの柄。
【請求項２】
前記コネクタ（６００）が、前記柄の長手方向の軸（Ｌ）に平行なコネクタ面（ＸＹ）内に延びている、請求項１に記載の柄（２）。
【請求項３】
前記回転軸（Ｚ）が、前記コネクタ面（ＸＹ）に対して垂直である、請求項１から２のいずれか一項に記載の柄（２）。
【請求項４】
前記コネクタの舌部側端部（６００）が、前記コネクタ面（ＸＹ）に平行な面内での断面において丸みを帯びた形状を有するくぼみ（６１５、６２５）を備える、請求項１から３のいずれか一項に記載の柄（２）。
【請求項５】
前記弾性シートの厚さが、前記弾性舌部の第１の端部（７Ａ）から前記弾性舌部の第２の端部（７Ｂ）に向かって減少する、請求項１から４のいずれか一項に記載の柄（２）。
【請求項６】
一対の翼部（６１５Ａ、６２５Ａ）が、前記くぼみ（６１５、６２５）の各側から外方に、そして互いから外方に延びており、
前記一対の翼部（６１５Ａ、６２５Ａ）が、前記柄（２）の長手方向の軸（Ｌ）に沿って対称であり、そして
各翼部（６１５Ａ、６２５Ａ）が、平らな表面（Ｗ）を画定して、前記一対の翼部（６１５Ａ、６２５Ａ）の前記平らな表面（Ｗ）が、前記柄（２）の長手方向の軸Ｌに関して対称なＶ字形配置を形成する、請求項４から９のいずれか一項に記載の柄（２）。
【請求項７】
前記一対の翼部（６１５Ａ、６２５Ａ）の各平らな表面（Ｗ）が、前記柄の長手方向の軸（Ｌ）と３０〜６０°の間の角度を形成する、請求項６に記載の柄（２）。
【請求項８】
前記柄本体（２Ａ）が、一対の止め具（８）を備えており、前記各止め具（８）がそれぞれ、第１のいちばん端の屈曲位置または第２のいちばん端の屈曲位置のいずれかを越えては前記弾性舌部（７）を動かせないように構成される、請求項１から７のいずれか一項に記載の柄（２）。
【請求項９】
前記弾性舌部（７）が、屈曲する場合に、０Ｎ・ｍｍと３０Ｎ・ｍｍの間の戻りトルクを生成する、請求項１から８のいずれか一項に記載の柄（２）。
【請求項１０】
前記コネクタ（６００）の回転（Ｒ）の角度を増加させると、前記弾性舌部（７）が、増加する戻りトルクを生成し、単位角度あたり前記戻りトルクの増加が、０．５Ｎ・ｍｍと２Ｎ・ｍｍの間にある、請求項１から９のいずれか一項に記載の柄（２）。
【請求項１１】
請求項１から１０のいずれか一項に記載の柄を備えるシェーバー（１）であって：
刃縁（３２）を有する少なくとも一つの刃（３１）を担持し、刃縁軸（Ｂ）に沿って延びるカートリッジ（３）をさらに備えるシェーバー。
【請求項１２】
前記回転軸（Ｚ）および枢軸（Ｐ）が互いに対して垂直である、請求項１１に記載のシェーバー（１）。
【請求項１３】
前記回転軸（Ｚ）が、前記少なくとも一つ刃（３１）の少なくとも一つの刃先（３２）と交差する、請求項１１から１２のいずれか一項に記載のシェーバー（１）。
【請求項１４】
前記カートリッジ（３）が、前記刃縁軸（Ｂ）に平行な枢軸（Ｐ）の周りに枢動可能である、請求項１１から１３のいずれか一項に記載のシェーバー（１）。
【請求項１５】
前記回転軸（Ｚ）および前記枢軸（Ｐ）が互いに交差する、請求項１１から１４のいずれか一項に記載のシェーバー（１）。
【発明の詳細な説明】
【技術分野】
【０００１】
以下に示すとおりの一般的な進歩性のある概念は、二つの枢軸の周りに枢動可能なカートリッジを備えるウェットシェーバーに、そして特に、それら二つの軸の周りにカートリッジを枢動可能にするよう構成されるコネクタを備える髭剃り柄システムを含むシェーバーに関する。
【背景技術】
【０００２】
欧州特許第２５０８３０９Ａ号明細書では、カートリッジと柄とを備えるかみそりであって、カートリッジが刃に平行な第１の軸の周りに回転するように構成され、柄が刃縁軸に対して垂直な第２の軸の周りに回転する回転可能部分を備えるかみそりが開示されている。第１の軸と第２の軸の間の最短距離は、約８ｍｍから約１８ｍｍの範囲にわたるものとすることができる。
【０００３】
回転可能部分は、基部と保持システムとを備えており、これらは単一の一体化構成要素を形成している。保持システムの部分は、細長い幹の部分と垂直のバーとを備えるカンチレバー尾部である。回転可能部分は、フレーム内で回転するように構成されている。格納器の垂直のバーは、一対の後退した壁により緩く保持されており、後退した壁は、格納器の垂直バーと干渉し、これを、細長い幹の部分を屈曲させるようにして捩じる。
【０００４】
以下に記載するとおりの進歩性のある概念から、第１の枢軸と第２の枢軸の間の最短距離が可能な限り小さく保持されるような、そして好ましくは第１の枢軸および第２の枢軸が互いに交差するような構成で可撓性尾部を使用するという着想が展開した。
【０００５】
二つの枢軸を互いの近傍に、またはさらに交差するように配置させるそうしたシステムは、心地よい髭剃りおよび全体的なシステムの滑らかな作動を保証するために、異なる手法および個々の構成要素の異なる配置が必要であることが、研究され観察されている。
【０００６】
さらには、そうしたシステムを用いた髭剃りの有効性をさらに高めた、さらなる実施形態が研究され開発されている。
【発明の概要】
【課題を解決するための手段】
【０００７】
二つの枢軸軸の周りの枢動を可能にするシェーバー向けのシステムであって、軸が互いの近傍にあり、そして好ましくは互いに交差するシステムでは、シェーバーシステムの滑らかで信頼性の高い作動を達成するために、以下の有利な実施形態を使用することができる。より詳細には、一つの好ましい実施形態では、シェーバー向けの柄であって、把持部分を含み柄の長手方向の軸に沿って延びる柄本体と；静止位置から、そして第１のいちばん端の回転位置と第２のいちばん端の回転位置の間で、柄の長手方向の軸に対して垂直な回転軸の周りに柄本体に対して回転可能であって、カートリッジを柄に取り付けるコネクタと；中立位置にある場合に、柄の長手方向の軸に平行に延びる弾性舌部と、を備えるシェーバー向けの柄が定義される。弾性舌部は、第１の端部と第２の端部を含む。弾性舌部の第１の端部は、柄本体に固く取り付けれている、またはこれと一体化している。弾性舌部の第２の端部は、コネクタが、第１のいちばん端の回転位置に向かって回転すると、第１のいちばん端の屈曲位置に向かって屈曲し、そして弾性舌部の第２の端は、コネクタが第２のいちばん端の回転位置に向かって回転すると、第２のいちばん端の屈曲位置に向かって屈曲して、屈曲した弾性舌部が、コネクタを静止位置に向かって付勢するようになっている。コネクタは、カートリッジ側端部と、カートリッジ側端部の反対側の舌部側端部とを含み、コネクタのカートリッジ側端部は、カートリッジと係合するように構成される。弾性舌部は、弾性シートの形態を有しており、前記シートは、コネクタ面に対して垂直な面内に延びている。
【０００８】
弾性舌部は、柄本体と一体化して（またはそこに固く取り付けられて）、髭剃りの最中に良好な安定性および信頼性を示す。この構成のおかげで、弾性舌部の第２の端部（すなわち、舌部の屈曲の最中に最も動かされている部分）が回転軸から遠すぎないということも保証される。もし弾性舌部が、上記背景技術におけるものと同様に、コネクタ部分上に配置されることになるようであれば、舌部の先端部は、回転軸から遠ざけられすぎる可能性があり、これにより、全体的なシステムが髭剃り運動に敏感になりすぎるようになってしまう。感度が高すぎると、使用者の最小限の動きでも、それが髭剃り調整に転嫁される状況となることがある。本構成は、回転する部分のバランスのとれたパラメータを提供し、その結果、印加された小さい力に対して感度が高すぎるということなく、良好な精度を保証する。
【０００９】
シートの形態をとる弾性舌部は、そうした弾性舌部がいくつかの利点を有することから、最適な形状であるということが見出だされた。シートの形態をとる弾性舌部は、弾性変形の最中に安定であり、これにより、コネクタが回転する場合に、コネクタを、その動きが充分滑らかとなるように維持する。さらに、そうした弾性舌部は、そのあらゆる部分において、弾性が均一であり（例えば、ばねとは違う）、このことはまた、さらに制御性の高い、断定できる安定なコネクタの動きに寄与する。また、そうしたシート状弾性舌部は、使用の最中にその形状が容易には歪まず、これにより、いかなる弾性舌部も不格好にならないようにできる。
【００１０】
さらには、コネクタが平面である（すなわちコネクタ面内に延びている）場合、弾性舌部もまた、同一のコネクタ面内に延びていることが有利であり、これにより、全体の動きが二次元に維持されることによって、その精度と信頼性が増加することが保証される。
【００１１】
有利な実施形態は、以下の：
−  コネクタが、柄の長手方向の軸に平行なコネクタ面内に延びていること；
−  回転軸がコネクタ面に対して垂直であり；コネクタが延びている同一の面内でそれが回転することが有利であり、これによってさらに、コネクタの精度よく信頼性の高い動きの達成が保証されること；
−  弾性舌部の第２の端部が、コネクタ面と平行な面内での断面において卵形の形状を有しており、弾性舌部の第２の端部が卵形部分の形態をとるように、そしてコネクタの舌部側端部がコネクタ面に平行な面内での断面において凹形状を有するくぼみを備えるようになっていること；
−  弾性シートの厚さが、弾性舌部の第１の端部から弾性舌部の第２の端部に向かって減少すること；
−  弾性舌部の第１の端部と弾性舌部の第２の端部の厚さの間の比は、どこでも１：１と２：１の間であること；
−  弾性舌部の第２の端部が、柄の長手方向の軸に沿って延びる長軸と、コネクタ面に平行な面内に延びる短軸とを有する楕円形の形態を有すること；
−  弾性舌部の第１の端部の厚さと弾性舌部の卵形部分の厚さの間の比がどこでも０．６：１と０．９：１の間であり、卵形部分の近傍の弾性舌部の部分の厚さと卵形部分の厚さの間の比がどこでも０．４：１と０．６：１の間であること；
−  コネクタの舌部分のくぼみがＵ字形の形態をとること；
−  一対の翼部が、くぼみの各側から外方に、そして互いから外方に延び、一対の翼部が柄の長手方向の軸に沿って対称であり、そして翼部が面を画定して、一対の翼部の各面がＶ字形配置を形成するようになっていること、
−  一対の翼部の各面が柄の長手方向の軸と３０〜６０°の間の角度をなすこと；
−  柄本体が一対の止め具を備えており、第１のいちばん端の屈曲位置または第２のいちばん端の屈曲位置のいずれかを越えて弾性舌部を動かせないように、各止め具がそれぞれ構成されるようになっていること、の一つまたは複数のさらなる特徴を含んでいてもよい。
【００１２】
さらに有利な実施形態は、上記の柄を備えるシェーバーであって、少なくとも一つの刃を担持するカートリッジを備え、刃が刃縁を有し刃縁軸に沿って延びている、シェーバーを定義する。
【００１３】
シェーバーは有利には、以下の：−回転軸と枢軸が互いに垂直であること；−回転軸と枢軸が互いに交差すること；−回転軸が、少なくとも一つの刃の少なくとも一つの刃先と交差すること；−カートリッジが、刃縁軸に平行な枢軸の周りに枢動可能であること、の一つまたは複数のさらなる特徴を含んでいてもよい。
【図面の簡単な説明】
【００１４】
【図１】図１は本進歩性のある概念にしたがうシェーバーの全体の斜視図である。
【図２】図２は図１のシェーバーに備わる構成要素の部分分解斜視図である。
【図３Ａ】図３Ａは図２のコネクタの上面分解斜視図を示す。
【図３Ｂ】図３Ｂは図２のコネクタの底面分解斜視図を示す。
【図４】図４は上部筐体のないコネクタの上面図を示す。
【図５】図５はカートリッジに隣接し、カートリッジに接続された柄本体の部分の側断面を示す。
【図６】図６Ａは非回転位置にあるコネクタとカートリッジを示す。  図６Ｂは回転位置にあるコネクタとカートリッジを示す。
【図７】図７は弾性舌部と、コネクタの舌部側端部上のくぼみとの詳細である。
【図８】図８は図５の柄本体の正面斜視図である。
【図９】図９は本特許出願において使用されるとおりの髭剃り面Ｓという用語を定義する例示である。
【発明を実施するための形態】
【００１５】
上に系統立てて述べた一般的な進歩性のある着想を有する主要な実施形態を、添付図面を参照しつつ以下に記載するが、その場合、同一の参照番号は、同一のまたは同様な構成要素を表す。
【００１６】
図１は、上に考察された進歩性のある概念に合致する代表的なシェーバー１の概要を示している。シェーバー１は、柄２、およびカートリッジ３を備える。柄本体２は、把持部分と、取替え可能なカートリッジ３に柄を接続するコネクタ部分とを備える。把持部分は、細長い可能性があり、そしてあらゆる好適な形状を有していてもよく、その結果、使用者は、それを手に保持することができるようになっている。柄２は、様々な材料、例えばプラスチックまたは金属から作ることができる。柄２は、概して長手方向の軸Ｌに沿って延びていてもよい。柄２は、任意の長さを有することができる。
【００１７】
代表的な実施形態のカートリッジ３は、概して細長い形状を有し、そして柄２の長手方向の軸Ｌへ実質的に平行に延びる。カートリッジ３は、少なくとも一つの刃３１を保持する手段を含み、それぞれのそうした刃は刃先３２を有する。刃先は、刃縁軸Ｂに沿って延びており、この軸はカートリッジ３の長手方向の軸に実質的に平行であり、柄の長手方向の軸２に対して実質的に垂直である。
【００１８】
カートリッジ３は、枢軸Ｐの周りに枢動するように構成され、この軸は、刃縁軸Ｂと実質的に平行である。様々な実施形態では、枢軸Ｐの周りの枢動は、一つまたは二つの方向に可能であり得る。概して、枢軸Ｐの周りの枢動は、図１上の矢印Ｆ’により例示された方向に可能である。カートリッジ３はさらに、回転軸Ｚの周りに回転することが可能である。回転軸Ｚは、枢軸Ｐに対して垂直であり得る。回転軸Ｚの周りのカートリッジ３の動きは、図１上の矢印Ｆにより例示されたとおりの二方向に可能である。
【００１９】
カートリッジ３は、使用者の皮膚を、それが刃先３２に達する前に引き伸ばすように構成されるガード３３、および／または皮膚を、使用者の体毛が切断された後に処理するように構成されるキャップ３４をさらに備えていてもよい。ガード３３およびキャップ３４は、皮膚とかみ合う表面を形成する。ガード３３の最上面およびキャップ３４の最上面は、髭剃り面Ｓを画定するための一般的な基準として使用される。よって髭剃り面Ｓは、刃先３２が位置するカートリッジ３の前側の輪郭により完全に画定される。より明示的には、髭剃り面Ｓは図９上で例示されたとおりに画定される可能性がある、すなわち、髭剃り面Ｓは、ガード３３の表面とキャップ３４の表面とに対する接面である。よって髭剃り面Ｓは、ガード３３またはキャップ３４のいずれとも交差しないが、しかしガード３３およびキャップ３４の両方に、それらの表面の正確に一点で接触する。少なくとも一つの刃３１は、髭剃り面Ｓの上に、中に、または下に延びていてもよい、またはあらゆる他の好適な構成、例えば露出を増した、または減らした構成を有していてもよい。刃３１の露出は、髭剃り面Ｓから刃３１の刃先３２までの測定された距離に等しい。
【００２０】
カートリッジ３は、少なくとも一つのカム表面３６を備えていてもよく、この面には、カートリッジ３が枢軸Ｐの周りに枢動される場合にはいつでも、カートリッジ３を中立位置に戻すように構成された付勢手段６５０が当接する可能性がある。枢軸Ｘの回りの枢動は、あらゆる好適な手段により可能になる。例えば、丸みを帯びた突出の形態をとるシェル型軸受け３８と、これに対応して丸みを帯び、シェル型軸受け３８と係合するように構成されるフック３７との組み合わせ。代替手段、例えば突出するピンとこれに対応する開口との組み合わせもまた可能である。
【００２１】
代わりに、カートリッジ３は、二つの別々の部分により形成されてもよく、続いて、これらの部分を互いに取り付ける。すなわち、カートリッジ３は、筐体３９、および背部構造３５を備えていてもよい。筐体３９と背部構造３５の間の取り付けは、スナップフィット、鋲着、または同様な手段により達成される可能性がある。筐体３９は、少なくとも一つの刃３１を保持していてもよく、ガード３３および／またはキャップ３４を含んでいてもよい。フック３８、または枢動する動きを可能にするあらゆる他の好適な手段が、背部構造３５の側に提供されてもよい。少なくとも一つのカム表面３６はまた、背部構造３５上に提供されてもよい。背部構造３５は、柄２と係合されるように構成される。
【００２２】
カートリッジ３と柄２の間の係合の詳細は、図２に見ることができる。背部構造３５と柄２の間のそうした係合のための手段は、特に限定はされない。図２に例示される好ましい実施形態では、中間の構成要素４０が、柄２と背部構造３５の間に配置されている。中間の構成要素４０は、シェル型軸受け３８を備えており、これらの軸受けは、背部構造３５のフック３７と係合され、よって枢軸Ｐの周りの回転を可能にする。よって、筐体３９とカートリッジ３の背部構造３５と間の位置は固定され変化しないが、一方でカートリッジ３と中間の構成要素４０の間の相対位置は変化する。より正確には、中間の構成要素４０およびカートリッジ３は、互いに対して枢動する。
【００２３】
中間の構成要素４０は、収容パーチャ４１を含んでいてもよく、中間部品４０と柄２の間の係合を提供するために、そのアパーチャ内に柄２の相補的な部分を挿入することができる。収容アパーチャ４１の内側には、二つの穴（図面には示さず）を、収容アパーチャ４１の各側に一つ、提供することができる。柄２上に画定された対応する突出は、収容アパーチャ４１の内側の穴に収容されており、柄２および中間の構成要素４０が互いに固定されて、中間部品４０に対して柄２の相互の動きが防止されるようになっている。この接続のさらなる詳細は、図３および対応する以下の記載から明らかとなろう。
【００２４】
図２に、柄２の接続部分を示す。柄２は、柄本体２Ａ、カバー４、ボタン５、およびコネクタ６００を含む。カバー４は、上から柄本体２Ａに（例えばスナップフィット、または鋲着、またはあらゆる他の好適な手段により）取り付けられる。カバー４は、柄本体２Ａに恒久的に固定することができる、またはカバー４は、柄本体２Ａから取り外し可能にすることができる。カバー４は、開口４Ａを含んでいてもよく、その開口中にボタン５の下方の部分が挿入される。特に、ボタン５の下方の部分は、突出５Ａを備え、この突出は開口４Ａ内に収容されており、突出５Ａが柄本体２Ａの中空部分２０の内側に突出するようになっている。
【００２５】
柄本体２Ａの内側の中空部分２０は、柄２の接続部分に提供される、すなわちカートリッジ３に隣接する。中空部分２０の底には、実質的に平坦な台座２１が形成されている。中空にされた部分２０は、弾性舌部７を含み、この舌部は、柄の長手方向の軸２に実質的に沿って延びている。台座２１は、カートリッジ３から最も遠方の側である遠い側、カートリッジ３に近い方の側である閉側、そして遠い側と閉側の間にある中央領域に分割することができる。台座２１の遠い側は、そこに取り付け部分９を突出させている。台座の中央領域では、そこに二つの止め具８が配置されている。柄本体２Ａの各側に、止め具８が一つ配置されている。止め具８は、弾性舌部７のとなりに配置されており、各止め具８は、弾性舌部７に対して柄本体２Ａの反対側に配置されている。台座２１の閉側にはくぼみ１０がある。くぼみ１０は、扇形領域の形状を有することができ、この場合、この円は回転軸Ｚ上に中心を有する。概して、コネクタ６００は、くぼみ１０の中で案内される。結果として、柄本体２Ａに対するコネクタ６００の回転運動が可能になる。
【００２６】
図３にコネクタ６００の分解図を示す。コネクタ６００は、好ましくは実質的に平坦な形状を有し、概してコネクタ面ＸＹ内に延びている。コネクタ６００は、回転軸Ｚの周りにコネクタ面ＸＹ内で回転するように構成される。回転軸Ｚは、コネクタ面ＸＹに対して垂直である。柄２の長手方向の軸Ｌは、実質的にコネクタ面ＸＹ内にある。よって回転軸Ｚはまた、柄２の長手方向の軸Ｌに対して垂直である。コネクタ面ＸＹは、平坦な台座２１が延びている面に平行である。枢軸Ｐはコネクタ面ＸＹ内にあること、または枢軸Ｐはコネクタ面ＸＹと平行であることが好ましい。コネクタ６００は、コネクタ面ＸＹと回転軸Ｚとにより画定される面ＹＺに沿って対称である。コネクタ６００はまた、長手方向の軸Ｌと回転軸Ｚとにより画定される面ＬＺに対して対称である。
【００２７】
コネクタ６００は、カートリッジ側端部６００Ｂと舌部側端部６００Ａに分割することができるが、ただし、両方の端部とも、単一部分品の材料に属している。コネクタ６００のカートリッジ側端部６００Ｂは、中間の構成要素４０の収容アパーチャ４１と相補的な形状を有しており、カートリッジ側端部６００Ｂを収容アパーチャ４１の中に挿入することができるようになっている。コネクタ６００は、最上部分６１０、底の部分６２０、最上部分６１０と底の部分６２０との間に挟まれたスライダ６３０、および最上部分６１０と底の部分６２０との間にまた配置された一対の固定具６４０を備え、この場合、これら全ての部分は、面ＹＺに対して対称である。最上部分６１０は、一対の脇の区間６１３、および一対の本体区間６１４を備えている。本体区間６１４は、最上部分６１０の中心を形成し、そして脇の区間６１３は、各本体区間６１４から両側に延びている。脇の区間６１３はまた、カートリッジ３に向かって前方に延びている。脇の区間の形状は丸みを帯びている。上から見た場合（例えば、図６Ａおよび６Ｂ上で例示されるように）、カートリッジ３に向かい合う脇の区間６１３の側部は、回転軸上に中心を有する円の一部分の形状を有する。カートリッジ３に対向する脇の区間６１３の側部はまた、回転軸上に中心を有する円の一部分の形状を有する。
【００２８】
最上部分６１０さらに、二つの側部チャネル６１１および中心チャネル６１２を備えている。中心チャネル６１２は、柄２の長手方向の軸Ｌに沿って延びている。側部チャネル６１１はそれぞれ、中心チャネル６１２と同一の方向に延びている通路を含んでおり、通路は長手方向の軸Ｌに垂直にそしてそれに向かって延びている。側部チャネル６１１は、概ね文字Ｐ（または文字Ｐの鏡像反転）の形状を有する。それぞれの側部チャネル６１１は、中心チャネル６１２に対して最上部分６１０の反対側に位置している。コネクタ６００の舌部側端部６００Ａは、くぼみ６１５を備えている。最上部分６１０の底側には、最上部分６１０の底面に沿って分配された４つの突出６１６Ａ、６１６Ｂがある。４つの突出６１６Ａ、６１６Ｂを、図３Ｂに示してある。二つの突出６１６Ｂは、舌部側端部６００Ａに位置しており、二つの突出６１６Ａは、カートリッジ側端部６００Ｂに位置していて、それぞれの対は中心チャネル６１２に対して対称に配置されている。突出６１６Ａ、６１６Ｂは、底の部分６２０上に提供された相補的な特徴に収容され、よって最上部分６１０と底の部分６２０の間の接続部を形成する。この機能が満たされている限り、突出６１６Ａ、６１６Ｂの数は異なっていてもよく、それらは比較的任意に分配されていてもよい。
【００２９】
底の部分６２０はまた、最上部分６１０と同様に、一対の脇の区間６２３と一対の本体区間６２４とを備えている。柄２を最上部から（回転軸Ｚの方向）見ている場合には、最上部分６１０の脇の区間６１３および本体区間６１４は、底の部分６２０の脇の区間６２３および本体区間６２４に重なっている。最上部分６１０と同様に、底の部分６２０もまた、舌部側端部６００Ａにくぼみ６２５を備えており、最上部（回転軸Ｚの方向）から見ている場合、底の部分６２０のくぼみ６２５は、最上部分６１０のくぼみ６１５と重なっている。底の部分６２０は、最上部分６１０の底に提供される突出６１６Ａ、６１６Ｂを収容する一組の管６２２Ａおよび６２２Ｂをさらに備えている。管６２２Ａ、６２２Ｂ、および突出６１６Ａ、６１６Ｂは、最上部分６１０を底の部分６２０に取り付ける役割をはたす。それにもかかわらず、代替の取り付け手段、例えば溶接、またはのり付けを同様に使用することができる。その場合、突出６１６Ａ、６１６Ｂや管６２２Ａ、６２２Ｂのいずれも存在しない可能性がある。
【００３０】
底の部分６２０は、カートリッジ側端部６００Ｂのまさに先端部に一対の前面６２１をさらに備えていてもよい。前面６２１は、底の部分６２０から上方に延びている。舌部側端部６００Ａの底の部分６２０から下方に、空洞６２６が延びている。空洞６２６は、ポケットの形態を有しており、そして、空洞６２６は、コネクタ６００の一部分であるものの、概してコネクタ面ＸＹより下に位置している。空洞６２６は、柄本体２Ａ内のくぼみ１０の形状と相補的な形状を有する。くぼみ１０の中で空洞６２６が摺動する結果、柄本体２Ａに対してコネクタ６００が回転運動する。底の部分６２０はまた、中心溝６２８を備えていてもよく、この溝は空洞６２６の基部からカートリッジ側端部６００Ｂに向かって延びているものである。中心溝６２８は、押し出し装置６５０を案内するよう構成されており、この装置はコネクタ６００の一部分である。底の部分６２０のカートリッジ側端部６００Ｂに中心溝６２８と並んで、二つの壁６２８Ａが配置されている。中心溝６２８に沿って延びる各側に、一つの壁６２８Ａがある。壁６２８Ｂは底の部分６２０から上方に延びている。さらに、脇の区間６２３に位置する側溝６２９があってもよい。側溝６２９は、長手方向の軸Ｌに平行に延びていてもよく、そしてそれらは、以下にさらに説明するとおり、スライダ６３０のいくつかの部分を案内するように構成されてもよい。
【００３１】
押し出し装置６５０は、区間６５１に従動するカムと、リブ６５２と、ばね６５０Ａ用の開口６５３とを備えることができる。区間６５１に従動するカムは、カートリッジ３の少なくとも一つのカム表面３６と協動する。カートリッジ３が枢軸Ｐの周りに枢動する場合、カム表面３６は、中心溝６２８内で柄２の内側に向かって押し出し装置６５０を強制的に摺動させることができる。結果として、ばね６５０Ａが圧縮され、よって押し出し装置６５０Ａを付勢してその最初の位置に戻す戻り力を発生させ、そしてこれによりカートリッジ３を中立位置に付勢する。押し出し装置６５０のリブ６５２は、最上部分６１０の中心チャネル６１２により案内される。よって、中心溝における押し出し装置６５０の動揺が防止される。リブ６５２は、その全長に沿って同一の高さを有していなくともよい。リブ６５２は、一つの低い方の部分および一つの高い方の部分を含め、段差があってもよい。
【００３２】
スライダ６３０は、柄２の長手方向の軸Ｌに沿って摺動するように構成されてもよい。スライダ６３０は、最上部分６１０と底の部分６２０の間に介在させてある。スライダ６３０は、スライダ本体６３４と、一対の外側の腕６３１と、一対の内側の腕６３２とを含んでいてもよい。外側の腕６３１は、底の部分の側溝６２９内で案内される。外側の腕６３１の形状は、コネクタ６００の最上部６１０および底部６２０の部分の脇部６１３、６２３により生みだされる領域内に、外側の腕を配置することができるような形状である。よって外側の腕６３１は、概してスライダ本体６３４から横に延び、そしてさらに、外側の腕６３１の端部に向かって、カートリッジ３に向かう柄の長手方向Ｌに平行に前方に延びている。内側の腕６３２は、長手方向の方向Ｌに平行な外側の腕６３１の中央から実質的に、そしてカートリッジ３に向かって、前方に突出している。よって、外側の腕６３１の端部は、スライダ本体６３４から最も遠い部分であり内側の腕６３２と平行である。内側の腕は、最上部分６１０の側部チャネル６１１内で、より詳細には、側部チャネル６１１の通路であって長手方向の軸Ｌに平行に延びる通路内で案内される。スライダ６３０はまた、一対のガイド６３６を含んでいてもよく、これらのガイドは、外側の腕６３１から下方に延びている。ガイド６３６は、柄２の長手方向の軸Ｌに沿って延びる細長いリブの形態とすることができる。ガイド６３６は、底の部分６２０の底部チャンネル６２７内に収容されるように構成されており、スライダが、好都合にはその所望の位置に維持されるようになっている。特に、スライダ６３０は、左右方向の動きをしないようにしてある。
【００３３】
スライダ６３０は、スライダ本体６３４から６３３上方に突出する上部延伸部をさらに含んでいてもよい。上部延伸部６３３は、最上部分６１０の中心チャネル６１２内に収容され得るような形状を有する。よってスライダ６３０は、最上部分６１０によって支持されて、横に動かないようにしてある。スライダは、スライダ本体６３４から下方に突出する下方の延伸部６３５をさらに含んでいてもよい。下方の延伸部６３５は、底の部分６２０の空洞６２６の中に収容され、そしてそれにより案内される。下方の延伸部６３５は、ばね６５０Ａに当接し、そしてそれと機能的に協動する。ばね６５０Ａは、図５上に例示されるとおり、概して開口６５３の内部の面と下方の延伸部６３５との間に配置される。スライダ６３０は、カートリッジ３に向かって前方に動かさられる場合、ばね６５０Ａは収縮され押し出し装置６５０を付勢して、カートリッジ３のカム表面３６に押力を発揮する。
【００３４】
図４は、固定具６４０がコネクタ６００のカートリッジ側端部６００Ｂに位置していることを示している。固定具６４０は、底の部分６２０の前面６２１と揃っていてもよい。固定具６４０は長手方向の軸Ｌに対して垂直に摺動するように構成される。固定具の底側は突出を備えていてもよく、これらの突出は底の部分６２０の相補的な特徴、例えば好適な一対の溝に嵌合するように構成されてもよい。固定具６４０は概して、長手方向の軸Ｌに沿った動きが制限されている。固定具６４０は、互いに向かう、そして互いから遠ざかる方向（軸Ｘの方向）に可動である。固定具６４０はさらに、最上部分６１０の側部チャネル６１１内で案内されてもよく、より詳細には、固定具６４０は、側部チャネルの通路であって長手方向の軸Ｌへ垂直に延びる通路内で案内される。各固定具６４０は、軸Ｘに沿って外方に延びるピン６４２を備えている。ピン６４２は、収容アパーチャの内側に位置する中間の構成要素４０の各穴（図面上には示されず）内に収容されるように構成される。固定具６４０のピン６４２が収容アパーチャ４１の穴の中に係合される場合、中間の構成要素４０は（そしてそれゆえカートリッジ３も）柄２と係合される。ピン６４２は、底の部分６２０の前面６２１と揃っており、より詳細には、ピン６４２は、前面６２１に沿って摺動する。
【００３５】
固定具６４０はさらに嶺部６４３を含む。まず、嶺部６４３の一端が、対応する内側の腕６３２の対応する端部と接触している。内側の腕６３２との接触点から、嶺部６４３は前方および横に延びており、柄２の長手方向の軸Ｌとの間に角度を形成するようになっている。嶺部６４３と長手方向の軸Ｌの間の角度は、１５〜４５°、そして好ましくは３５°または４０°であってもよい。スライダ６３０が、カートリッジ３に向かって前方に摺動する場合、内側の腕６３１の端部は嶺部６４３に沿って動き、これにより強制的に固定具６４０どうしを互いに向かって（すなわち押し出し装置６５０に向かう方向に）摺動させる。いったん固定具６４０が互いに向かって強制的に摺動させられると、ピン６４２は、収容アパーチャ４１の穴（図面上では示さず）から解放され、そして柄２は、中間にある構成要素４０から（そしてそれゆえカートリッジ３からも）解放される。
【００３６】
固定具６４０は、固定具ばね６４５用の開口６４４をさらに含んでいてもよい。各固定具ばね６４５は、開口６４４の内部の面と各壁６２８Ａとの間に延びていてもよく、各壁は中心溝６２８に沿って延びている。固定具６４０が内側の腕６３２により互いに向かって押される場合には、固定具ばね６４５は圧縮され、これにより戻り力を発生させ、固定具６４０を付勢してそれらの最初の位置に戻す。固定具ばね６４５の付勢力また、固定具６４０を通してスライダ６３０に印加される。よってスライダ６３０はまた、その最初の位置に固定具ばね６４５により部分的に付勢される。スライダ６３０が前方に動かされる場合、ばね６５０Ａまた、収縮させられ、よってスライダ６３０を強制的にその最初の位置に戻す。よってばね６５０Ａは、二つの機能を有する。一方でそれは、枢動されたカートリッジ３を中立位置に戻す付勢力を生成し、そしてまた他方では、それは、スライダ６３０が前方に摺動させられた後にスライダ６３０をその最初の位置に戻す付勢力を生成する。
【００３７】
図５は、柄がボタン５を備えており、このボタンが柄２の長手方向の軸Ｌに沿って摺動可能であることを例示している。ボタンはカバー４上に配置されている。ボタン５は、柄本体２Ａの内側のカバーにおける開口４Ａを通じて突出する突出５Ａを備えている。突出５Ａは、スライダ６３０の上部延伸部６３３に当接している。使用者は、髭剃りカートリッジ３を取替えようと決めた場合、自身の指を用いボタン５を前方に矢印Ａの方向に摺動させてもよい。ボタン５が前方に摺動すると、スライダ６３０も前方に摺動する。固定具６４０は、互いに向かって動かされ、これにより収容アパーチャ４１の穴からピン６４２を解放する。よってコネクタ６００は、中間にある構成要素４０から切り離される。結果として、カートリッジ３は、柄２から切り離される。
【００３８】
中間の構成要素４０およびコネクタ６００は代わりに、単一部分品として提供することができる。この実施形態では、カートリッジ３は取替え可能ではないので、柄２とカートリッジ３との間（またはより詳細には、中間にある構成要素４０とコネクタ６００の間）の接続を解除することに関連する特徴は省略する。それゆえ、ボタン５、開口４Ａ、スライダ６３０、および固定具６４０は省略する。
【００３９】
好ましい実施形態では、コネクタ６００、中間にある構成要素４０、およびカートリッジ３は、回転軸Ｚの周りに回転するように構成される。回転軸Ｚの周りのコネクタ６００の回転は、くぼみ１０内に配置されている空洞６２６により可能となっており、空洞６２６がくぼみ１０の丸みを帯びた壁に沿って摺動することができるようになっている。中間の構成要素４０は、固定具６４０と、収容アパーチャ４１の内側に位置する穴とにより、コネクタ６００に係合され、よってコネクタ６００の回転により中間部品４０が同時に回転するようになる。中間の構成要素４０は、カートリッジ３に（筐体３９に直接、またはもし存在するのであれば背部構造３５に）取り付けられる。それゆえ、中間の構成要素４０が回転軸Ｚの周りに回転する場合には、カートリッジ３も同様に回転する。中間の構成要素４０とカートリッジ３の間の接続により、さらに別の軸である枢軸Ｐの周りの枢動運動が可能になる。
【００４０】
回転軸Ｚは好ましくは、それがカートリッジ３と交差するようにして配置される。さらに好ましくは、回転軸Ｚは、刃３１の刃先３２により画定される切断面と交差することができる。切断面は、複数の刃先３２に接する面である、すなわち、切断面は、カートリッジ３内に存在する刃先３２のそれぞれと接触する一点を有する。回転軸Ｚはまた、刃先３２の一つと直接、交差してもよい。回転軸Ｚと最近接の刃先３２の間の距離は好ましくは、１ｍｍ以下、そしてより好ましくは０．５ｍｍ以下である。回転軸Ｚは、好ましくは柄２の長手方向の軸Ｌに対して垂直である。回転軸Ｚは、コネクタ面ＸＹに対して垂直である。回転軸Ｚおよび枢軸Ｐは好ましくは、それら両方とも共通面ＺＰ内にあるようにして互いに交差させる。回転軸Ｚおよび枢軸Ｐは好ましくは、髭剃り面Ｓ内で直接、交差する。それにもかかわらず、他の構成、すなわち、回転軸Ｚと枢軸Ｐの交差が、髭剃り面Ｓの上方または下方に位置する構成もまた可能である。
【００４１】
枢軸Ｐは、コネクタ面ＸＹと好ましくは平行であり、例えば枢軸は、コネクタ面ＸＹ内にあってもよい。枢軸Ｐは、好ましくはカートリッジ３と交差する。枢軸Ｐは、少なくとも一つの刃３１の刃先３２の刃縁軸Ｂと平行とすることができる。枢軸Ｐは切断面内にあってもよい、または、いくつかの実施形態では、枢軸Ｐは、刃縁軸Ｂと同一とすることができる（シェーバー１が組み立てられてカートリッジ３が中立位置にある場合）。
【００４２】
図６Ａは、静止位置にあるコネクタ６００を示している。
【００４３】
コネクタ６００は、矢印Ｆにより示された両方向に回転可能である。静止位置では、脇の区間６１３、６２３は、中空部分２０内に実質的に含まれていても、すなわち、柄本体２Ａにより下から覆われていても、そしてカバー４により上から覆われていてもよい。コネクタ６００が回転軸Ｚの周りに回転する場合、対応する脇の区間６１３、６２３は、中空部分２０の外側に部分的に突出する。コネクタ６００の回転中には、脇の区間６１３、６２３は、柄２のコネクタ部分の端部に位置する柄本体２Ａの縁部に沿って摺動する（図６Ｂから明らかなとおりである）。
【００４４】
図６Ｂは、回転位置にあるコネクタ６００を示している。コネクタ６００は、長手方向の軸Ｌに対して、回転角度Ｒ周りに回転した状態にある。コネクタ６００は、第１のいちばん端の回転位置と第２のいちばん端の回転位置の間で概して回転する。第１および第２のいちばん端の位置のそれぞれでは、対応する本体区間６１４、６２４は柄本体の側壁の一つと当接し、よってコネクタ６００の動きを止める。コネクタ６００を第１のまたは第２のいちばん端の回転位置の一つに向かって回転させると、弾性舌部７が屈曲する。弾性舌部７の屈曲は、コネクタ６００を付勢してその静止位置に戻す戻りトルク力を生成する。コネクタ６００が左に回転する場合には、弾性舌部７もまた左に屈曲する。コネクタ６００が右に回転する場合には、弾性舌部７もまた右に屈曲する。弾性舌部７の屈曲は、二つの止め具８により画定される領域内でのみ可能であり、これにより弾性舌部が屈曲しすぎないようにしてある。
【００４５】
弾性舌部７により生成される戻りトルクは、０Ｎ・ｍｍと３０Ｎ・ｍｍの間、好ましくは１０と３０Ｎ・ｍｍの間、そしてさらに好ましくは１５Ｎ・ｍｍと２５Ｎ・ｍｍの間にある。コネクタ６００をいずれかの側に回転させると、弾性舌部７により発揮される戻りトルクは増加する。戻りトルクの増加は、コネクタ６００の回転Ｒの角度に、線形にまたは非線形に依存してもよい。単位角度あたりの戻りトルクの増加は、０．５Ｎ・ｍｍと２Ｎ・ｍｍの間、好ましくは０．６７Ｎ・ｍｍと２Ｎ・ｍｍの間、そしてさらに好ましくは１Ｎ・ｍｍと１．６７Ｎ・ｍｍの間にあってもよい。
【００４６】
前の段落において定義された戻りトルクの値は、以下のようにして測定する。カートリッジ３を、枢軸Ｘの周りで目一杯の枢動位置に枢動し、その場合にそれを、測定の全時間の間、維持する。試験用の力Ｅを、カートリッジ３の前面の点上に印加するが、その点には、刃先３２が配置されている。力Ｅが印加される点は、実質的に髭剃り面Ｓ内にある。図６Ａ上に例示されるとおり、試験用の力Ｅは、髭剃り面Ｓに対して垂直に印加する。試験用の力Ｅは、カートリッジ３の対称面に対して選択された距離Ｍに印加するが、この対称面は、図６Ａ上の面ＬＺと同一である。試験用の力Ｅのせいで、コネクタ（６００）は、具体的な回転角度Ｒの周りに回転する。
【００４７】
面ＬＺと試験用の力Ｅを印加する点の間の距離Ｍがモーメント腕に相当する。モーメント腕Ｍの値と試験用の力Ｅの値を乗算することにより、コネクタ（６００）が具体的な回転角度Ｒの周りに回転している特定の状態について弾性舌部（７）により発揮される戻りトルクの値が得られる。このように、戻りトルクの値は、回転Ｒの任意の角度について測定することができる。
【００４８】
図７は、弾性舌部が第１の端部７Ａおよび第２の端部７Ｂを備えていることを示している。弾性舌部７は、プラスチックもしくは金属、または他の好適な可撓性材料から作ってもよい。取り付け部分９は、弾性舌部７の第１の端部７Ａを柄本体２Ａに固定する。代替実施形態では、弾性舌部７は、柄本体２Ａの一体化した部分であってもよい。弾性舌部７の第２の端部７Ｂは、止め具８により画定される境界の範囲内で自由に動くことができる。より詳細には、弾性舌部７の第２の端部７Ｂは、コネクタ６００が第１のいちばん端の回転位置に向かって回転すると、第１のいちばん端の屈曲位置に向かって屈曲し、そして弾性舌部７の第２の端部７Ｂは、コネクタ６００が第２のいちばん端の回転位置に向かって回転すると、第２のいちばん端の屈曲位置に屈曲して、屈曲した弾性舌部７がコネクタ６００を静止位置に付勢するようになっている。第２の端部７Ｂは、くぼみ６１５、６２５の中に挿入される。
【００４９】
弾性舌部７は、屈曲していない場合、実質的に直線であり、柄２の長手方向の軸Ｌに沿って延びている。弾性舌部７は、任意の好適な形状を有していてもよい。例えば、弾性舌部は、ばねの形態（例えばコイルばね、またはねじりばね）であってもよい。弾性舌部７は有利には、側面からの弾性舌部を示す図５上に見られるとおり、弾性シートの形態を有していてもよい。弾性シートは、面ＺＹ内で延びていてもよい。弾性シートは、あらゆる形状、好ましくは実質的に長方形の形状であって、（Ｙ軸に沿って延びる）矩形の長い方の側が長手方向の軸Ｌと平行で、矩形の（Ｚ軸に沿って延びる）短い方の側が長手方向の軸Ｌに対して垂直である形状を有することができる。Ｚ軸に沿った弾性舌部７の寸法は、２．５ｍｍと３．５ｍｍの間、例えば３ｍｍであってもよい。Ｙ軸に沿った弾性舌部７の寸法は、１８ｍｍと２５ｍｍの間、例えば１９ｍｍ、２１ｍｍ、または２３ｍｍであってもよい。弾性シートの形態での弾性舌部は、Ｘ軸に沿った寸法に相当する厚さＴを有していてもよい。弾性舌部７の平均の厚さは、０．６ｍｍと０．８ｍｍの間、例えば０．７ｍｍであり得る。
【００５０】
弾性舌部の第２の端部７Ｂは、任意の形状、好ましくは卵形部分７Ｃを備えていてもよい。コネクタ面ＸＹと平行な面内での断面において卵形の形状を有する卵形部分７Ｃ。卵形部分７Ｃは、柄２の長手方向の軸Ｌに沿って延びる長軸と、コネクタ面と平行な面内に延びる短軸ＸＹとを有する楕円形の形態であってもよい。
【００５１】
第１の端部７Ｂでの弾性舌部７の厚さＴは、第２の端部７Ｂでの弾性舌部７の厚さＴより大きくてもよい。厚さＴは、第１の端部７Ａから第２の端部７Ｂに向かって連続的に減少していてもよい（これは、弾性舌部の特別な部分を形成する卵形部分７Ｃを除いて当てはまる）。弾性舌部７の第１の端部７Ａと弾性舌部７の第２の端部７Ｂの厚さＴとの間の比は、どこでも１：１および２：１の間に、例えば１．５：１にすることができる。卵形部分７Ｃを考慮しない弾性舌部の第１の端部の厚さ７と、弾性舌部７の卵形部分の最大の厚さＴとの間の比は、０．６：１と０．９：１の間、例えば０．７５：１であってもよい。卵形部分７Ｃに隣接する弾性舌部７の第２の端部７Ｂの部分の厚さＴと、卵形部分の最大の厚さとの間の比率は、０．４：１と０．６：１の間、例えば０．５：１であってもよい。
【００５２】
くぼみ６１５、６２５は、弾性舌部７の第２の端部７Ｂとくぼみ６１５、６２５の内面との間のいくぶんかのあそびを可能にするような形状を有する。第２の端部７Ｂは、くぼみ６１５、６２５内にしっかりとは嵌合されない。くぼみ６１５、６２５、より詳細にはくぼみの内面は、コネクタ面ＸＹと平行な面内での断面において凹形状を有していてもよい。くぼみ６１５、６２５は、Ｕ字形の形態とすることができる。一対の翼部６１５Ａ、６２５Ａは、くぼみ６１５、６２５の各側から外方に、そして互いから外方に延びている。一対の翼部６１５Ａ、６２５Ａは、柄２の長手方向の軸Ｌに沿って対称であり、そして各翼部は平らな表面Ｗを画定して、一対の翼部６１５Ａ、６２５Ａの各平らな表面Ｗが柄２の長手方向の軸Ｌに対して対称のＶ字形配置を形成するようになっている。一対の翼部６１５Ａ、６２５Ａの各平らな表面Ｗは、柄２の長手方向の軸Ｌと３０〜６０°の間の角度を形成し、例えば、この角度は４０°または５０°とすることができる。
【図１】
2020505096.tif 000003
【図２】
2020505096.tif 000004
【図３Ａ】
2020505096.tif 000005
【図３Ｂ】
2020505096.tif 000006
【図４】
2020505096.tif 000007
【図５】
2020505096.tif 000008
【図６】
2020505096.tif 000009
【図７】
2020505096.tif 000010
【図８】
2020505096.tif 000011
【図９】
2020505096.tif 000012
【国際調査報告】
2020505096.tif 000013
2020505096.tif 000014
2020505096.tif 000015